(57)【要約】【課題】液晶パネル(LCD)により表示するとき、異なる色の光が重なって混色することを防止すること。【解決手段】反射シートに導光板を重ねて設け、導光板の片側に二色以上の発光ダイオード(LED)を埋設し、導光板はこれらの発光ダイオードの間に、凹み部を設け、導光板上部に液晶パネルを重ねて設ける。これにより、発光ダイオードより異なる色の有色光源を発生するとき、凹み部の隔たりと凹み部縁部の反射により、乱射による色の混色を防止する。【選択図】図３Ｂ
0003121625.tif 000002
【実用新案登録請求の範囲】
【請求項１】
一種の液晶パネル背光モジュール表示における色混合改善の構造において、
光を反射する反射シートと、
反射シートに重ねて設けた導光板と、
該導光板はその片側に二つ以上の発光ダイオードを設け、発光ダイオードはあらかじめに設定した表示色の有色光を出射させ、発光ダイオードの間に一定の距離を置いた導光板は発光ダイオードとの間に凹み部を設け、凹み部は導光板を貫かず、凹み部は導光板の一端から他端へ横方向に延ばして設け、
導光板に重ねて設け、液晶パネルは数字、文字または図案を表示する液晶パネルとよりなり、
前記の部品構成により、発光ダイオードより異なる有色光を発生するとき、凹み部による隔たり、および凹み部縁の反射により、色が重なって混合することなく、より表示するとき、様々な背景領域を形成して、はっきりと液晶パネル(LCD)に表示できるように構成したことを特徴とする、
液晶パネル背光モジュール表示における色混合改善の構造。
【請求項２】
発光ダイオードは赤色、緑色または黄色の有色光を出射することを特徴とする、請求項１記載の液晶パネル背光モジュール表示における色混合改善の構造。
【請求項３】
凹み部はＶ字形の切り込みであることを特徴とする、請求項１記載の液晶パネル背光モジュール表示における色混合改善の構造。
【請求項４】
導光板は凹み部の対称位置に突起体を設け、導光板のこの場所における厚みを増やして、導光板の完全性を維持できることを特徴とする、請求項１記載の液晶パネル背光モジュール表示における色混合改善の構造。
【請求項５】
一種の液晶パネル背光モジュール表示における色混合改善の構造において、
光を反射する反射シートと、
反射シートに重ねて設けた導光板と、
該導光板はその片側に二つ以上の発光ダイオードを設け、発光ダイオードは様々な有色光を発生し、発光ダイオードの間に一定の距離を置き、導光板は発光ダイオードの間に凹み部を設け、凹み部は上下側から導光板を貫いていて、凹み部は導光板の一端から他端へ横方向に延ばして、導光板全体を貫かないように設け、
液晶パネル、導光板に重ねて設け、液晶パネルは数字、文字または図案を表示する液晶パネルと、
前記の部品構成により、発光ダイオードより異なる有色光を発生するとき、凹み部による隔たり、および凹み部縁の反射により、色が重なって混合することなく、より表示するとき、様々な背景領域を形成して、はっきりと液晶パネル(LCD)に表示できるように構成したことを特徴とする、
液晶パネル背光モジュール表示における色混合改善の構造。
【請求項６】
発光ダイオードは赤色、緑色または黄色の有色光を出射することを特徴とする、請求項５記載の液晶パネル背光モジュール表示における色混合改善の構造。
【請求項７】
凹み部は矩形の開先構造であることを特徴とする、請求項５記載の液晶パネル背光モジュール表示における色混合改善の構造。
【考案の詳細な説明】
【技術分野】
【０００１】
本考案は導光板の適切な場所に凹み部を設け、発光ダイオードより同時に様々な色の光を出射したとき、異なる色の有色光は乱射による色の混色が起きない液晶パネル(LCD Panel)に関し、特に液晶パネルを警告画面として利用するとき、利用者が異なる顔色の光区域をはっきり区別できて、警告効果を実現できる、液晶パネル背光モジュール(Back Light Module)表示における色混合改善の構造（液晶パネルの背光モジュール表示における色混合防止構造）に関するものである。
【背景技術】
【０００２】
電子製品の表示装置は液晶パネルを使用する傾向がますます多くなり、異なった色背景で表示結果を警告信号として出力し、利用者は色の区別により、その結果を知り、印象を深めることができる。その例として、赤色は標準値超過、緑色は正常または標準値、黄色いは危険値に近い、要注意などに応用できる。
【０００３】
しかし、図１、２に示す公知技術の液晶パネルは、一種の電子血圧計に使用する液晶パネルであり、主にケース体表面に、液晶パネルにより、数字、文字又は図案を表示させている。その液晶パネルの下部に反射シートを設け、反射シートと液晶パネルの間に導光板を重ねて設け、導光板の片側に二つの発光ダイオード(LED)を設ける。さらに、これらの発光ダイオードは異なる色の有色光を発生し、これらの発光ダイオードは一定距離を置き、発光ダイオードより発生する有色光が導光板および反射シートにより、液晶パネルの背景表示効果を強化できて、発光ダイオードは利用者が血圧測定結果をあらかじめに設定した正常、注意または危険を色で表示できる。その一例として、血圧値正常は緑色、危険値に近いは黄色、危険値を超えるときに赤信号でそれぞれ表示できるように設定できる。
【０００４】
この種の装置は使用するとき、利用者の測定した高血圧値が正常で、低血圧値が危険値を超えるとき、発光ダイオードより発生する緑色と赤色の有色光は導光板および反射シートを介して、液晶パネルの背面に出射する。しかし、発光ダイオードの色は外部に出射するときに、一定角度で外部に徐々と拡散するため、発光ダイオードは導光板の隣り合う区域に違う色の有色光が重なって混色の結果をまねく結果となるために、利用者は正確に識別できない。このため、警告効果を有効に達成できず、理想とはいえない。
【考案の開示】
【考案が解決しようとする課題】
【０００５】
前記の公知技術の電気機器における液晶パネル背光モジュール装置の欠点に対し、本考案人は本考案の液晶パネル背光モジュール表示における色混合改善の構造を考案し、本考案の構造により、背光モジュールは異なる色の区域表示を同時に発生でき、表示色背景の混色を防止し、利用者の不便を解消できる。
【０００６】
本考案一つの目的は、主に反射シート、反射シート上に導光板を重ねて設け、導光板の片側に二つ以上の異なる色を発生する発光ダイオードを設け、導光板はさらにこれらの発光ダイオードの間に凹み部を設け、導光板上に液晶パネルを重ねて設ける。この構造により、利用者の測定結果は発光ダイオードより、異なる顔色の光で表示するとき、凹み部と隔たりと凹み縁部の反射働きにより、異なる顔色の光を重ねて混色することがなく、液晶パネル(LCD)よりその結果を表示するとき、異なる色の区域による結果を通知できる一種の液晶パネル背光モジュール表示における色混合改善の構造を提供することにある。
【０００７】
本考案もう一つの目的は、凹み部にV字形の切り込みを設け、この切り込みは導光板を貫通しないか、または導光板を貫通する矩形の溝を設ける。ただし、この溝は組立部品と製造コストを軽減するため、背光モジュール全体を貫通しない、一種の液晶パネル背光モジュール表示における色混合改善の構造を提供することにある。
【課題を解決するための手段】
【０００８】
本願の第１考案は、一種の液晶パネル背光モジュール表示における色混合改善の構造において、光を反射する反射シートと、反射シートに重ねて設けた導光板と、該導光板はその片側に二つ以上の発光ダイオードを設け、発光ダイオードはあらかじめに設定した表示色の有色光を出射させ、発光ダイオードの間に一定の距離を置いた導光板は発光ダイオードとの間に凹み部を設け、凹み部は導光板を貫かず、凹み部は導光板の一端から他端へ横方向に延ばして設け、導光板に重ねて設け、液晶パネルは数字、文字または図案を表示する液晶パネルとよりなり、前記の部品構成により、発光ダイオードより異なる有色光を発生するとき、凹み部による隔たり、および凹み部縁の反射により、色が重なって混合することなく、より表示するとき、様々な背景領域を形成して、はっきりと液晶パネル(LCD)に表示できるように構成したことを特徴とする、液晶パネル背光モジュール表示における色混合改善の構造を提供する。
【０００９】
本願の第２考案は、発光ダイオードは赤色、緑色または黄色の有色光を出射することを特徴とする、前記第１考案の液晶パネル背光モジュール表示における色混合改善の構造を提供する。
【００１０】
本願の第３考案は、凹み部はＶ字形の切り込みであることを特徴とする、前記第１考案の液晶パネル背光モジュール表示における色混合改善の構造を提供する。
【００１１】
本願の第４考案は、導光板は凹み部の対称位置に突起体を設け、導光板のこの場所における厚みを増やして、導光板の完全性を維持できることを特徴とする、前記第１考案の液晶パネル背光モジュール表示における色混合改善の構造を提供する。
【００１２】
本願の第５考案は、一種の液晶パネル背光モジュール表示における色混合改善の構造において、光を反射する反射シートと、反射シートに重ねて設けた導光板と、該導光板はその片側に二つ以上の発光ダイオードを設け、発光ダイオードは様々な有色光を発生し、発光ダイオードの間に一定の距離を置き、導光板は発光ダイオードの間に凹み部を設け、凹み部は上下側から導光板を貫いていて、凹み部は導光板の一端から他端へ横方向に延ばして、導光板全体を貫かないように設け、液晶パネル、導光板に重ねて設け、液晶パネルは数字、文字または図案を表示する液晶パネルと、前記の部品構成により、発光ダイオードより異なる有色光を発生するとき、凹み部による隔たり、および凹み部縁の反射により、色が重なって混合することなく、より表示するとき、様々な背景領域を形成して、はっきりと液晶パネル(LCD)に表示できるように構成したことを特徴とする、液晶パネル背光モジュール表示における色混合改善の構造を提供する。
【００１３】
本願の第６考案は、発光ダイオードは赤色、緑色または黄色の有色光を出射することを特徴とする、前記第５考案の液晶パネル背光モジュール表示における色混合改善の構造を提供する。
【００１４】
本願の第７考案は、凹み部は矩形の開先構造であることを特徴とする、前記第５考案の液晶パネル背光モジュール表示における色混合改善の構造を提供する。
【考案を実施するための最良の形態】
【００１５】
本考案の目的、形状、構造、装置、特徴及びその効果をさらに認識と理解を図るため、以下の実施例について詳細に説明する。
【実施例１】
【００１６】
本考案は一種の液晶パネル背光モジュール表示における色混合改善の構造に関わるもので、図３Ａ、３Ｂ、３Ｃ、３Ｄに示すものは、本考案の実施例１である。
本実施例において、電子血圧計を例示したが、この種の技術を熟知するものは、その他電子製品に応用するができる。
本考案は主にケース体５０に反射シート(Reflective Sheet)１０を設けて、反射シート１０により光源を反射する。反射シート１０上に導光板(Light Guide Panel)２０を重ねて設ける。導光板２０の片側はケース体５０に隠れて設ける。さらに、導光板２０はその側に二つ以上の発光ダイオード(LED)３０を設け、発光ダイオード３０の間に一定距離を維持する。さらに、導光板２０上に液晶パネル４０を重ねて設け、液晶パネル４０より数字、文字又は図案を表示させる。この液晶パネル４０は導光板２０の発光ダイオード３０の埋設場所を被さない。さらに、導光板２０の発光ダイオード３０を設けない場所に、上下を貫通しないＶ字形の凹み部２１(図３Ｂ、３Ｃ、３Ｄに示す)を設ける。凹み部２１は発光ダイオード３０の間に設ける(図３Ｂ、３Ｃ、３Ｄに示す)。凹み部２１は横方向に導光板２０を貫く方式で、導光板２０の他端に延ばしておく、導光板２０の完全性を維持する。さらに、凹み部２１の大きさと位置は発光ダイオード３０の位置と有色光の出射強度による。
【００１７】
使用するときには、図３Ａ、３Ｂに示すとおり、発光ダイオード３０を駆動し有色光を発生させ、反射シート１０により、この有色光の反射を強化してから、凹み部２１の隔たりと凹み部２１縁により反対方向に屈射して、有色光の重なりによる混色(図３Ａ)を防止し、液晶パネル４０の背面へはっきり投射する。利用者は測定後の表示数字、文字又は図案を簡単に識別できるため、通知効果を発揮し、モジュール全体表示の美観性を向上できる。
【００１８】
図４Ａ、４Ｂ、４Ｃ、４Ｄに示すものは、本考案の実施例２である。本例では主にケース体５０に、反射シート１０を設けて、反射シート１０により光を反射する。反射シート１０上に導光板２０を設けて、導光板２０の片側をケース体５０にかくして設ける。導光板２０に二つ以上の発光ダイオード(LED)３０を設け、発光ダイオード３０の間に一定距離を置く。さらに、導光板２０上に液晶パネル４０を重ねて設け、液晶パネル４０に数字、文字または図案を表示させる。液晶パネル４０は導光板２０の発光ダイオード３０埋設する場所を遮っていない。さらに、導光板２０の発光ダイオード３０を設けない場所に導光板２０の厚みに同等またはより大きいV字形の凹み部２１(図４Ｂ、４Ｃ、４Ｄに示す)を設け、凹み部２１は発光ダイオード３０の間に(図４Ｂ、４Ｃ、４Ｄに示す)設けて、凹み部２１は横方向に導光板２０を貫く方式にて導光板２０の他端に延ばして、導光板２０は凹み部２１との対称位置に外部に突き出して設ける突起体２２を設けて、この場所の厚みを増やすほか、導光板２０全体の完全性 (図４Ｂ、４Ｄに示す)を維持する。なお、凹み部２１の大きさと位置は発光ダイオード３０の位置と有色光の出射強度による。
【００１９】
使用するときは、図４Ａ、４Ｂに示すとおり、発光ダイオード３０より有色光を発生させ、反射シート１０により、この有色光の反射を強化した上、凹み部２１の隔たりおよび凹み部２１縁より、反対方向に屈折反射させ、有色光の重なりによる混色(図４)を防止し、液晶パネル４０の背面へはっきり投射する。利用者は測定後の表示数字、文字又は図案を簡単に識別できるため、通知効果を発揮し、モジュール全体表示の美観性を向上できる。
【００２０】
図５Ａ、５Ｂ、５Ｃ、５Ｄに示すものは、本考案の実施例３である。本例では主にケース体５０に反射シート１０を設けて、反射シート１０により光を反射する。反射シート１０上に導光板２０を設けて、導光板２０の片側をケース体５０にかくして設ける。導光板２０に二つ以上の発光ダイオード(LED)３０を設け、発光ダイオード３０の間に一定距離を置く、さらに、導光板２０上に液晶パネル４０を重ねて設け、液晶パネル４０に数字、文字または図案を表示させる。液晶パネル４０は導光板２０の発光ダイオード３０埋設する場所を遮っていない。さらに、導光板２０の発光ダイオード３０を設けない場所に導光板２０の厚みに同等またはより大きいV字形の凹み部２１(この種の技術に詳しいものは、他の形状を設けても良い。) (図５Ｂ、５Ｃ)を設け、凹み部２１は発光ダイオード３０の間に(図５Ｂ、５Ｃ)設けて、凹み部２１は横方向に導光板２０の貫かない方式にて導光板２０の他端に延ばして、導光板２０の完全性を維持する(図５Ｂ)。さらに、凹み部２１の大きさと位置は発光ダイオード(LED)３０の位置と有色光の出射強度による。
【００２１】
使用するときには、図５Ａ、５Ｂに示すとおり、発光ダイオード３０を駆動し有色光を発生させ、反射シート１０により、この有色光の反射を強化した上、凹み部２１の隔たりおよび凹み部２１縁より、反対方向に屈折反射させ、有色光の重なり(図５Ａ)を防止し、液晶パネル４０の背面へはっきり投射する。利用者は測定後の表示数字、文字又は図案を簡単に識別できるため、通知効果を発揮し、モジュール全体表示の美観性を向上できる。
【００２２】
以上に取り上げた実施例は、本考案の好ましい実施例であり、この種の技術に熟知するものによる、本考案の創作範囲における変化または修飾は、本考案の請求範疇に含まれるものとする。
【図面の簡単な説明】
【００２３】
【図１】公知技術の装置の下視概略図である。
【図２】公知技術の装置の断面組み合わせ概略図である。
【図３Ａ】本考案の実施例１の下視概略図である。
【図３Ｂ】本考案の実施例１における側面視組み合わせ概略図である。
【図３Ｃ】本考案の実施例１における断面組み合わせ概略図である。
【図３Ｄ】本考案の実施例１の凹み部の拡大概略図である。
【図４Ａ】本考案の実施例２の下視概略図である。
【図４Ｂ】本考案の実施例２における側面視組み合わせ概略図である。
【図４Ｃ】本考案の実施例２における断面組み合わせ概略図である。
【図４Ｄ】本考案の実施例２における凹み部の拡大概略図である。
【図５Ａ】本考案の実施例３の下視概略図である。
【図５Ｂ】本考案の実施例３における側面視組み合わせ概略図である。
【図５Ｃ】本考案の実施例３における断面組み合わせ概略図である。
【符号の説明】
【００２４】
１０            反射シート
２０            導光板
２１            凹み部
２２            突起体
３０            発光ダイオード
４０            液晶パネル
５０            ケース体
【図１】
0003121625.tif 000003
【図２】
0003121625.tif 000004
【図３Ａ】
0003121625.tif 000005
【図３Ｂ】
0003121625.tif 000006
【図３Ｃ】
0003121625.tif 000007
【図３Ｄ】
0003121625.tif 000008
【図４Ａ】
0003121625.tif 000009
【図４Ｂ】
0003121625.tif 000010
【図４Ｃ】
0003121625.tif 000011
【図４Ｄ】
0003121625.tif 000012
【図５Ａ】
0003121625.tif 000013
【図５Ｂ】
0003121625.tif 000014
【図５Ｃ】
0003121625.tif 000015